(57)【特許請求の範囲】
【請求項１】
外部のモニタ装置に映像信号を送り出す映像出力端子を有するデジタルカメラにおいて、
画素信号を順次出力する撮像手段と、
処理が可変である映像処理手段と、
ビデオケーブル挿抜検出手段と、
前記ビデオケーブル挿抜検出手段の出力に基づいて、前記映像処理手段の処理を切り替える手段と、
前記映像処理手段の出力を映像出力端子に送出する手段とを備えたこと
を特徴とする表示切り替え式デジタルカメラ。
【請求項２】
画素信号を間引いて映像処理することにより、処理を可変にすること
を特徴とする請求項１記載の表示切り替え式デジタルカメラ。
【請求項３】
ガンマ補正処理をしないことにより、処理を可変にすること
を特徴とする請求項１記載の表示切り替え式デジタルカメラ。
【請求項４】
内蔵の表示装置を有するとともに、ビデオケーブルを用いて外部のモニタ装置に映像信号を送り出す映像出力端子を有する表示切り替え式デジタルカメラにおいて、
画素信号を順次出力する撮像手段と、
該画素信号を多数間引いて映像処理する第１の映像処理手段と、
該画素信号を少なく間引いて映像処理する第２の映像処理手段と、
該画素信号を全く間引かないで映像処理するプログレッシブ映像処理手段と、
ビデオケーブルが抜かれておれば、第１の映像処理手段を稼働して、内蔵の表示装置で映像表示する第１の切り替え手段と、
ビデオケーブルが挿入されておれば、第２の映像処理手段を稼働して、外部のモニタ装置で映像表示する第２の切り替え手段と、
ビデオカメラのシャッタがリリースされれば、撮像手段を全画素読み出し駆動に切り替えると共に、プログレッシブ映像処理手段を稼働する第３の切り替え手段とを備えたこと
を特徴とする表示切り替え式デジタルカメラ。
【請求項５】
更に、メモリ手段を有し、プログレッシブ映像処理手段からの映像信号を保持することを特徴とする請求項４に記載の表示切り替え式デジタルカメラ。
【請求項６】
更に、コントラストを重視して映像処理する第３の映像処理手段と、
階調を重視して映像処理する第４の映像処理手段と、を有し、
該プログレッシブ映像処理手段は、コントラストの重視を全く行わないで映像処理し、
該第１の切り替え手段は、ビデオケーブルが抜かれておれば、第３の映像処理手段を稼働して、内蔵の表示装置で映像表示し、
該第２の切り替え手段は、ビデオケーブルが挿入されておれば、第４の映像処理手段を稼働して、外部のモニタ装置で映像表示することを特徴とする請求項４に記載の表示切り替え式デジタルカメラ。
【請求項７】
上記第３の映像処理手段は、輝度信号に所定の定数を加えてペデスタルレベルを上げる加算手段を有することを特徴とする請求項６記載の表示切り替え式デジタルカメラ。
【請求項８】
上記第４の映像処理手段は、ガンマ補正回路を有することを特徴とする請求項６記載の表示切り替え式デジタルカメラ。
【発明の詳細な説明】
【０００１】
【発明の属する技術分野】
本発明は、デジタルカメラの表示切り替え装置に関し、更に詳しくはカメラ内蔵の液晶表示装置で画像を表示する場合と、ビデオケーブルでモニタ装置につないでモニタ装置で画像を表示する場合とで表示形式を切り替えるデジタルカメラの表示切り替え装置に関する。
【０００２】
【従来の技術】
デジタルカメラには、小型の表示装置、例えば液晶表示装置が設けられているとともに、外部のモニタ装置に映像信号を送り出す映像出力端子があるものがある。デジタルカメラにおいて、液晶表示装置で映像を見る場合、画面が比較的小さいので、画素を多数間引いて処理された映像信号を用いて表示しても、映像の質をそれほど損なうことはない。しかし、同じように画素を多数間引いて処理された映像信号を用いて、画面の大きいモニタ装置で表示した場合、映像の質は損なわれる。
【０００３】
また、外部モニタと、液晶表示装置に対して同じ階調再現を持った映像信号を表示すると、特に屋外の明るい場所で撮影する際に、液晶画面が見にくくなる場合がある。
【０００４】
ところで、特に映像処理をマイクロプロセッサによって実行するような場合は、画素を多数間引くほど処理に要する時間を短縮できる。
【０００５】
【発明が解決しようとする課題】
従来のデジタルカメラにおいては、カメラ内蔵の液晶表示装置で映像を見る場合も、外部のモニタ装置で映像を見る場合も同じ映像処理回路からの映像信号を用いていた。従って、デジタルカメラの映像処理回路が、画素を多数間引いて処理する映像処理回路である従来のデジタルカメラにあっては、ビデオケーブルを用いて外部のモニタ装置で映像を見る場合、映像は荒く、画質が損なわれていた。逆に、デジタルカメラの映像処理回路が、画素を少なく間引いて処理する映像処理回路であれば、映像処理に時間がかかり、デジタルカメラの液晶表示装置で表示される準動画は非常にコマ送りの間隔が長いものとなる。
【０００６】
また、別の課題として、屋外の明るい場所で撮影する際にカメラ内蔵の液晶表示装置で映像を見る場合に、外部のモニタ装置へ出力する映像と同じ階調再現をもつ映像信号を映示すると見えにくいという課題があった。
【０００７】
そこで本発明は、デジタルカメラ内蔵の表示装置で映像が表示される場合は、画素を多く間引いて処理された映像信号が出力される一方、ビデオケーブルを用いて外部のモニタ装置で映像が表示される場合は、画素を少なく間引いて処理された映像信号が出力されるデジタルカメラの表示切り替え装置を提供することを第一の目的とする。
【０００８】
また、本発明は、デジタルカメラ内蔵の表示装置で映像が表示される場合は、液晶表示のコントラストを重視した信号処理がなされた映像信号が出力され、ビデオケーブルを用いて外部のモニタ装置で映像が表示される場合は、階調再現を重視した信号処理がなされた映像信号が出力されるデジタルカメラの表示切り替え装置を提供することを第二の目的とする。
【０００９】
【課題を解決するための手段】
本発明のうちで、第１の観点の発明は、
外部のモニタ装置に映像信号を送り出す映像出力端子を有するデジタルカメラにおいて、画素信号を順次出力する撮像手段と、処理量が可変である映像処理手段と、所定の信号に基づいて、前記映像処理手段の処理量を切り替える手段と、前記映像処理手段の出力を映像出力端子に送る手段から成ることを特徴とする表示切り替え式デジタルカメラである。
【００１０】
本発明のうちで、第２の観点の発明は、
ビデオケーブル挿抜検出手段を有し、前記ビデオケーブル挿抜検出手段の出力に基づいて、映像処理手段の処理量を切り替えることを特徴とする第１の観点の表示切り替え式デジタルカメラである。
【００１１】
本発明のうちで、第３の観点の発明は、
画素信号を間引いて映像処理することにより、処理量を可変にすることを特徴とする第１の観点の表示切り替え式デジタルカメラである。
【００１２】
本発明のうちで、第４の観点の発明は、
ガンマ補正処理をしないことにより、処理量を可変にすることを特徴とする第１の観点の表示切り替え式デジタルカメラである。
【００１３】
本発明のうちで、第５の観点の発明は、
静止画取り込みのトリガを発生するシャタボタンと、前記シャタボタン出力に従って、撮像手段の駆動方法を変更する撮像素子駆動手段を有し、前記撮像素子駆動手段は通常は画素混合駆動を行い、前記シャタボタンがリリースされれば全画素読み出し駆動に切り替わることを特徴とする表示切り替え式デジタルカメラである。
【００１４】
本発明のうちで、第６の観点の発明は、
内蔵の表示装置を有するとともに、ビデオケーブルを用いて外部のモニタ装置に映像信号を送り出す映像出力端子を有する表示切り替え式デジタルカメラにおいて、
画素信号を順次出力する撮像手段と、
該画素信号を多数間引いて映像処理する第１の映像処理手段と、
該画素信号を少なく間引いて映像処理する第２の映像処理手段と、
該画素信号を全く間引かないで映像処理するプログレッシブ映像処理手段と、ビデオケーブルが抜かれておれば、第１の映像処理手段を稼働して、内蔵の表示装置で映像表示する第１の切り替え手段と、
ビデオケーブルが挿入されておれば、第２の映像処理手段を稼働して、外部のモニタ装置で映像表示する第２の切り替え手段と、
ビデオカメラのシャッタがリリースされれば、プログレッシブ映像処理手段を稼働する第３の切り替え手段から成ることを特徴とする表示切り替え式デジタルカメラである。
【００１５】
本発明のうちで、第７の観点の発明は、
更に、メモリ手段を有し、プログレッシブ映像処理手段からの映像信号を保持することを特徴とする第６の観点の表示切り替え式デジタルカメラである。
【００１６】
本発明のうちで、第８の観点の発明は、
更に、コントラストを重視して映像処理する第３の映像処理手段と、階調を重視して映像処理する第４の映像処理手段と、を有し、
該プログレッシブ映像処理手段は、コントラストの重視を全く行わないで映像処理し、
該第１の切り替え手段は、ビデオケーブルが抜かれておれば、第３の映像処理手段を稼働して、内蔵の表示装置で映像表示し、
該第２の切り替え手段は、ビデオケーブルが挿入されておれば、第４の映像処理手段を稼働して、外部のモニタ装置で映像表示することを特徴とする第６の観点の表示切り替え式デジタルカメラである。
【００１７】
本発明のうちで、第９の観点の発明は、
上記第３の映像処理手段は、輝度信号に所定の定数を加えてペデスタルレベルを上げる加算手段を有することを特徴とする第８の観点の表示切り替え式デジタルカメラである。
【００１８】
本発明のうちで、第１０の観点の発明は、
上記第４の映像処理手段は、ガンマ補正回路を有することを特徴とする第８の観点の表示切り替え式デジタルカメラである。
【００１９】
本発明のうちで、第１１の観点の発明は、
内蔵の表示装置を有するとともに、ビデオケーブルを用いて外部のモニタ装置に映像信号を送り出す映像出力端子を有する表示切り替え式デジタルカメラにおいて、
画素信号を順次出力する撮像手段と、
コントラストを重視して映像処理する第３の映像処理手段と、
階調を重視して映像処理する第４の映像処理手段と、
コントラストの重視を全く行わないで映像処理するプログレッシブ映像処理手段と、
ビデオケーブルが抜かれておれば、第３の映像処理手段を稼働して、内蔵の表示装置で映像表示する第１の切り替え手段と、
ビデオケーブルが挿入されておれば、第４の映像処理手段を稼働して、外部のモニタ装置で映像表示する第２の切り替え手段と、
ビデオカメラのシャッタがリリースされれば、撮像手段を全画素読み出し駆動に切り替えると共に、プログレッシブ映像処理手段を稼働する第３の切り替え手段から成ることを特徴とする表示切り替え式デジタルカメラである。
【００２０】
本発明のうちで、第１２の観点の発明は、
上記第３の映像処理手段は、輝度信号に所定の定数を加えてペデスタルレベルを上げる加算手段を有することを特徴とする第１１の観点の表示切り替え式デジタルカメラ。
【００２１】
本発明のうちで、第１３の観点の発明は、
上記第４の映像処理手段は、ガンマ補正回路を有することを特徴とする第１１の観点の表示切り替え式デジタルカメラである。
【００２２】
【発明の実施の形態】
（第１の実施の形態）
図１は、本発明にかかる第１の実施の形態を示すデジタルカメラの表示切り替え装置であって、ビデオケーブル挿抜による表示モード切替装置を示す。本発明にかかる装置は、カメラ本体の表示装置２６により画像が表示される場合は、荒い画質で１秒あたりより多くのコマ数（例えば、６コマ／秒）を表示させる一方、ビデオケーブルを挿入して、テレビなどのモニタの表示装置２８により画像を表示させる場合は、１秒あたりのコマ数を少なくし（例えば、４コマ／秒）、より細かい画質で表示させるようにしたものである。
【００２３】
図１において、２は対物レンズ、４はＣＣＤ（電荷結合素子）で撮像手段を構成する。６はＡ／Ｄ変換器、８は画素信号の間引きなしで画像信号が処理されるプログレッシブ処理回路、１０は画素信号を多く間引く第１処理回路、１２は画素信号を少なく間引く第２処理回路、１４はビデオケーブル挿抜検出器、１６はデジタルカメラのシャッターボタン、１８はフリップフロップ、２０はＣＣＤ駆動回路、２２はＤ／Ａ変換器、２４は撮影画像を記憶するビットマップメモリ、２６はカメラ本体に設けられた表示装置であり、好ましくは液晶表示装置、２８はテレビなどのモニタの表示装置、３０はモニタ表示装置２８をデジタルカメラと接続するビデオケーブル、Ｓ１ａ，  Ｓ１ｂ  はフリップフロップ１８のＱ出力により切り替わる第１連動スイッチ、Ｓ２ａ，  Ｓ２ｂ  はビデオケーブル挿抜検出器１４からの出力により切り替わる第２連動スイッチ、Ｓ３はフリップフロップ１８のＱ出力により切り替わる第３スイッチ、Ｓ４はモニタ表示装置２８からのビデオケーブル３０の挿抜により切り替わる第４スイッチであり、映像出力端子で構成される。
【００２４】
シャッターボタン１６が押されていないときは、フリップフロップ１８のＱ出力からローレベル信号が出力され、それによりＣＣＤ駆動回路２０は、ＣＣＤ４の隣接画素を加算して、たとえば上下にあるマジェンダ（Ｍｇ）画素とイェロー（Ｙｅ）画素を加算、そして上下にあるグリーン（Ｇ）画素とシアン（Ｃｙ）画素を加算して簡略画像データを出力する、いわゆるＰＤＭｉｘモードに設定される。また、同Ｑ出力からのローレベル信号により第１連動スイッチＳ１ａ，  Ｓ１ｂは実線で示される位置に設定される。さらに、同Ｑ出力からのローレベル信号によりスイッチＳ３は、実線で示される位置に設定される。
【００２５】
このシャッターボタン１６が押されていない状態では、ビデオケーブル３０が抜き取られてスイッチＳ４が実線で示される位置にある場合（本体表示モード）と、ビデオケーブル３０が挿入されてスイッチＳ４が点線で示される位置にある場合（モニタ表示モード）とで動作が異なる。
【００２６】
本体表示モードのときは、ビデオケーブル３０が抜き取られており、この状態をビデオケーブル挿抜検出器１４が検出する。このビデオケーブル抜き取り状態の検出により、ビデオケーブル挿抜検出器１４は、第１信号（例えばハイレベル信号）を出力し、連動スイッチ  Ｓ２ａ，  Ｓ２ｂ  を実線で示される位置に設定する。従って、ＣＣＤ４から得られた  ＰＤＭｉｘ  モードのビデオ信号は、Ａ／Ｄ変換器６、第１処理回路１０、Ｄ／Ａ変換器２２を介してカメラ本体にある液晶表示装置２６に送られる。第１処理回路１０は、後述するように、多くの画素信号を間引いて画像処理をするので、非常に早く、例えば６コマ／秒の早さで画像を作ることができる。
【００２７】
モニタ表示モードのときは、ビデオケーブル３０が挿入されており、この状態をビデオケーブル挿抜検出器１４が検出する。このビデオケーブル挿入状態の検出により、ビデオケーブル挿抜検出器１４は、第２信号（例えばローレベル信号）を出力し、連動スイッチ  Ｓ２ａ，  Ｓ２ｂ  を点線で示される位置に設定する。従って、ＣＣＤ４から得られた  ＰＤＭｉｘ  モードのビデオ信号は、Ａ／Ｄ変換器６、第２処理回路１２、Ｄ／Ａ変換器２２を介してモニタ表示装置２８に送られる。第２処理回路１２は、後述するように、比較的少ない画素信号を間引いて画像処理をするので、ゆっくり（例えば４コマ／秒）ではあるが、本体表示モードのときよりも鮮明な画像を作ることができる。
【００２８】
シャッターボタン１６が押されれば、フリップフロップ１８のＳ入力にセット信号が入力され、同Ｑ出力からハイレベル信号が出力される。このハイレベル信号によりＣＣＤ駆動回路２０は、ＣＣＤ４の画素信号をそのまますべて出力するプログレッシブモードに設定される。また、同Ｑ出力からのハイレベル信号により第１連動スイッチＳ１ａ，  Ｓ１ｂは点線で示される位置に設定されるとともに、スイッチＳ３は、点線で示される位置に設定される。従って、ＣＣＤ４から得られた  プログレッシブモードのビデオ信号は、Ａ／Ｄ変換器６、プログレッシブ処理回路８、Ｄ／Ａ変換器２２を介してメモリ２４に送られる。プログレッシブ処理回路８では、１コマの画像データがプログレッシブに処理され、ビットマップデータとして、順次メモリ２４に記憶される。１コマの画像データのプログレッシブ処理が終了し、すべての画素信号がビットマップメモリ２４に記憶されれば、プログレッシブ処理回路８はリセット信号をフリップフロップ１８のＲ入力に入力し、同Ｑ出力からローレベル信号が出力される。このローレベル信号により、ＣＣＤ駆動回路２０は、再びＰＤＭｉｘモードに設定される。また、同Ｑ出力からのローレベル信号により第１連動スイッチＳ１ａ，  Ｓ１ｂは実線で示される位置に設定されるとともに、スイッチＳ３は、実線で示される位置に戻される。
【００２９】
ここでビデオケーブル３０が抜き取られてスイッチＳ４が実線で示される位置にあれば、すなわち本体表示モードにあれば、上述したように、第１処理回路１０により早い速度でコマ作りが行われ、カメラ本体の液晶表示装置２６で表示される一方、ビデオケーブル３０が挿入されてスイッチＳ４が点線で示される位置にあれば、すなわちモニタ表示モードにあれば、上述したように、第２処理回路１２によりゆっくりではあるが、本体表示モードのときよりも鮮明な画像を作り、モニタ表示装置２８に表示する。
【００３０】
図２は、第１処理回路１０のブロック図を示す。図において、３２は水平サンプル回路、３４はγ（ガンマ）補正回路、３６はオーバーサンプリング回路、３８は１画素遅延回路、４０は１水平期間遅延回路、４２は１画素遅延回路、４４は引き算器、４６は足し算器、４８は引き算器、５０，５２，５４はいずれもサンプルホールド回路、５６は  ＲＧＢマトリックス、５８は  ＹＵＶマトリックスである。
【００３１】
水平サンプル回路３２は、３ＭＨｚのクロックにより輝度信号Ｙをサンプルする。１２ＭＨｚで画素信号が送られてくるとすれば、４画素ごとに１画素がサンプルされることになる。１水平期間に６４０画素あるとすれば、１６０画素サンプルされる。この水平サンプル回路３２により間引きの程度が決定される。ここでは、比較的大きな間引きとなっている。間引かれた輝度信号は、γ補正回路３４を経た後、オーバーサンプリング回路３６にて、６ＭＨｚに変換される。後述する図３の第２処理回路と同じレートのＹ出力が作られる。
【００３２】
サンプルホールド回路５０，５２，５４はそれぞれＲ−Ｙ，  Ｙ，  Ｂ−Ｙ信号を１．５ＭＨｚのクロックでサンプルホールドするものである。サンプルホールドされたＲ−Ｙ，  Ｙ，  Ｂ−Ｙ信号は、ＲＧＢマトリックス５６によりＲ，Ｇ，Ｂ信号が作られ、さらにＹＵＶマトリックスによりＵ，Ｖ信号が作られる。
【００３３】
後述する図３の第２処理回路１２と比べ、図２の第１処理回路１０では、γ補正されるＹ信号の数が少ない。色信号処理する回路におけるＬＰＦ回路およびＲ，Ｇ，Ｂの色信号に対する、γ補正回路が省かれているため、より高速な処理が可能となり、例えば、１秒あたり６コマの画像が生成される。
【００３４】
図２の第１処理回路１０は、本体表示モードのときに稼働される回路であり、１秒あたり６コマの画像が生成される。従って、本体にある液晶表示装置２６の更新速度を速めることができる。
【００３５】
図３は、第２処理回路１２のブロック図を示す。図２の第１処理回路１０と比べ異なっているところは、水平サンプル回路３２’のサンプル周波数が６ＭＨｘ  である点と、さらにローパスフィルタ６０、ペデスタル生成器６２、加算器６４、γ補正回路６６，６８，７０が設けられている点である。他の構成は、図２の構成と同じであるので説明を省略する。
【００３６】
水平サンプル回路３２’は、６ＭＨｚ  のクロックにより輝度信号をサンプルする。この水平サンプル回路３２により比較的小さな間引きをおこなっており、１秒あたり４コマの画像が生成される。間引きが小さいので、モニタなどの大きな画面であってもきめの細かい映像を作ることができる。
【００３７】
色を処理する回路にローパスフィルタ６０を設けることにより、輝度の変化点で偽色を抑えることができる。
【００３８】
ペデスタル生成器６２を設け、ペデスタル信号を輝度信号にくわえることにより、暗部の階調再現のよい画像を作ることができる。
【００３９】
図４は、プログレッシブ処理回路８のブロック図をしめす。図３の第２処理回路１２と比べ異なっているところは、輝度信号を処理する回路に、水平サンプル回路３２’の代わりにローパスフィルタ７２が設けられている点と、色を処理する回路に１水平期間遅延回路７４と加算器７６が更に加わっている点と、Ｂ−Ｙ信号を処理する回路に設けられた遅延回路が１水平期間遅延回路４０ではなく２水平期間遅延回路４０’である点と、サンプルホールド回路５０’、５２’、５４’のサンプル周波数が３ＭＨｘ  である点である。
【００４０】
プログレッシブ処理回路８には輝度信号をサンプルする水平サンプル回路が設けられていないので、すべての画素信号がサンプルされることとなり、記録画像には最高の画質を持った画像信号を送り出すことができる。
【００４１】
（第２の実施の形態）
図５は、本発明にかかる第２の実施の形態を示すデジタルカメラの表示切り替え装置であって、ビデオケーブル挿抜による表示モード切替装置を示す。本発明にかかる装置は、カメラ本体の表示装置２６により画像が表示される場合は、第３の処理回路８０により屋外で見やすい様にコントラスト重視の信号処理された画像を表示させる一方、ビデオケーブルを挿入して、テレビなどのモニタの表示装置２８により画像を表示させる場合は、第４の処理回路８２により階調再現を重視した映像処理された画像を表示させるようにした物である。
【００４２】
図５において、８０はコントラストを重視した処理がなされる第３処理回路、８２は階調再現を重視した処理がなされる第４処理回路である。
【００４３】
シャッターボタン１６が押されていないときは、フリップフロップ１８のＱ出力からローレベル信号が出力され、それにより第１連動スイッチＳ１ａ，  Ｓ１ｂは実線で示される位置に設定される。さらに、同Ｑ出力からのローレベル信号によりスイッチＳ３は、実線で示される位置に設定される。
【００４４】
このシャッターボタン１６が押されていない状態では、ビデオケーブル３０が抜き取られてスイッチＳ４が実線で示される位置にある場合（本体表示モード）と、ビデオケーブル３０が挿入されてスイッチＳ４が点線で示される位置にある場合（モニタ表示モード）とで動作が異なる。
【００４５】
本体表示モードのときは、ビデオケーブル３０が抜き取られており、この状態をビデオケーブル挿抜検出器１４が検出する。このビデオケーブル抜き取り状態の検出により、ビデオケーブル挿抜検出器１４は、第１信号（例えばハイレベル信号）を出力し、連動スイッチ  Ｓ２ａ，  Ｓ２ｂ  を実線で示される位置に設定する。従って、ＣＣＤ４から得られた信号は、Ａ／Ｄ変換器６、第３処理回路８０、Ｄ／Ａ変換器２２を介してカメラ本体にある液晶表示装置２６に送られる。第３処理回路８０は、後述するように、コントラストを重視した処理をするため、特に屋外で液晶表示装置をみる場合に見やすい映像を表示できる。
【００４６】
モニタ表示モードのときは、ビデオケーブル３０が挿入されており、この状態をビデオケーブル挿抜検出器１４が検出する。このビデオケーブル挿入状態の検出により、ビデオケーブル挿抜検出器１４は、第２信号（例えばローレベル信号）を出力し、連動スイッチ  Ｓ２ａ，  Ｓ２ｂ  を点線で示される位置に設定する。従って、ＣＣＤ４から得られた信号は、Ａ／Ｄ変換器６、第４処理回路８２、Ｄ／Ａ変換器２２を介してモニタ表示装置２８に送られる。第４処理回路８２は、後述するように、階調再現のよい信号処理を行なう。そのため、屋外で液晶を見る場合、本体表示モードのときよりもコントラストがわかりにくい画像になるが、ビデオケーブルを挿入した状態で屋外で撮影することはほとんど考えられないので支障ない。
【００４７】
図６、図７は、それぞれ第３処理回路８０、第４処理回路８２のブロック図の一例を示す。図において、８４、８８は輝度信号に加算する定数設定器、８６、９０はガンマ補正回路、９２は色差信号処理回路を示す。図に示すように、第３処理回路８０では加算器６４において定数１が加算され、第４処理回路８２では定数２が加算される。
【００４８】
定数２は、特に暗部の階調再現が良くなる様な値を選ぶ。しかし、その場合、画像の暗い部分でも、定数２よりも大きな輝度値を持つ様になり、明るい部分と暗い部分の輝度の比が小さくなる。すなわち、コントラストが小さくなり、特に屋外の明るい場所でカメラ内蔵の液晶画面を見る際に、見にくい画像になってしまう。
【００４９】
定数１は定数２よりも小さな値を選ぶ。これにより、コントラストの大きな画像を得ることができ、屋外で液晶画面を見る際に見やすい画像が得られる。
【００５０】
また、図６、図７に示す様に、第３処理回路８０と第４処理回路８２では、ガンマ補正処理も異なる処理を行う。ガンマ補正回路はルックアップテーブルによって構成する。
【００５１】
ルックアップテーブルの入力ｘ、出力ｙとすると、ガンマ補正のルックアップテーブルは、一般に、ｙ＝ｘγの関係にすれば良い。図６、図７におけるガンマ補正のルックアップテーブルの入出力の関係をそれぞれｙ＝ｘγ１、ｙ＝ｘγ２とすると、γ１＞γ２の関係になる様にルックアップテーブルを構成すれば、第３処理回路において、第４処理回路よりもコントラストの大きな画像が得られる。
【００５２】
図８、図９はそれぞれ図６、図７におけるガンマ補正回路８６、９０のルックアップテーブルの一例を示している。図６のテーブルはｙ＝ｘ，図７のテーブルはｙ＝ｘ０．４５の関係になっている。これは、上述のγ１＝１、γ２＝０．４５の場合の例である。図６の様にγ１＝１に選んだ場合、特にルックアップテーブルを使う必要がないので、回路を節約できる。
【００５３】
なお、上述の第１の実施の形態において、第１処理回路１０、第２処理回路１２、プログレッシブ処理回路８等の回路は、マイクロコンピュータを用いて構成することができる。この場合は、プロセッサにより信号処理がなされるので、間引く程度が大きくなれば、信号処理のための演算回数が減少し、処理速度を向上させることができる。
【００５４】
また、上述の第２の実施の形態では、輝度信号に加算する定数値とガンマ補正回路の両方を変える様に説明したが、片方だけ変えても良い。
【００５５】
また、上述第１、第２の実施の形態においては、第１処理回路１０、第２処理回路１２、第３処理回路８０、第４処理回路８２、プログレッシブ処理回路８のいずれもが個別的に構成されているように説明したが、クロックの周波数を変えたり、付加的な回路を着脱する事ができるスイッチ構成を設けることにより、第１処理回路１０、第２処理回路１２、第３処理回路８０、第４処理回路８２、プログレッシブ処理回路８を一つの処理回路で構成することも可能である。
【００５６】
また、上記第１、第２実施の形態では、ビデオケーブル３０の挿抜を検出して連動スイッチＳ２ａ、Ｓ２ｂを切り替えるよう説明したが、手動で切り替える等、他の手段で切り替えを制御してもよい。
【００５７】
図１０は、上記第１、第２実施の形態を組み合わせた変形例を示す。
【００５８】
本体表示モードのときは、ビデオケーブル３０が抜き取られており、上述と同様にして、連動スイッチ  Ｓ２ａ，  Ｓ２ｂ  を実線で示される位置に設定する。従って、ＣＣＤ４から得られた信号は、Ａ／Ｄ変換器６、第１処理回路１０、第３処理回路８０、Ｄ／Ａ変換器２２を介してカメラ本体にある液晶表示装置２６に送られる。第１処理回路１０では、上述と同様に、多くの画素が間引かれて、より早い速度でコマ作りが行われる。次の、第３処理回路８０では、コントラストを重視した処理をする。
【００５９】
モニタ表示モードのときは、ビデオケーブル３０が挿入されており、上述と同様にして、連動スイッチ  Ｓ２ａ，  Ｓ２ｂ  を点線で示される位置に設定する。従って、ＣＣＤ４から得られた信号は、Ａ／Ｄ変換器６、第２処理回路１２、第４処理回路８２、Ｄ／Ａ変換器２２を介してモニタ表示装置２８に送られる。第２処理回路１２では、上述と同様に、比較的少ない画素信号を間引いて画像処理をするので、ゆっくり（例えば４コマ／秒）ではあるが、本体表示モードのときよりも鮮明な画像を作ることができる。次の、第４処理回路８２では、階調再現のよい信号処理を行なう。
【００６０】
図１０に示す変形例は、第１の実施の形態の利点と、第２の実施の形態の利点を兼ね備えたものである。
【図面の簡単な説明】
【図１】本発明にかかる表示切り替え式デジタルカメラの第１の実施の形態のブロック図。
【図２】図１に示した第１処理回路１０のブロック図。
【図３】図１に示した第２処理回路１２のブロック図。
【図４】図１に示したプログレッシブ処理回路８のブロック図。
【図５】本発明にかかる表示切替え式デジタルカメラの第２の実施の形態のブロック図。
【図６】図５に示した第３処理回路８０のブロック図。
【図７】図５に示した第４処理回路８２のブロック図。
【図８】図６に示したガンマ補正回路８６の入出力関係を示す図。
【図９】図７に示したガンマ補正回路９０の入出力関係を示す図。
【図１０】本発明にかかる表示切替え式デジタルカメラの第１の実施の形態と第２の実施の形態とを組み合わせた変形例のブロック図。
【符号の説明】
２・・・対物レンズ
４・・・ＣＣＤ（電荷結合素子）
６・・・Ａ／Ｄ変換器
８・・・プログレッシブ処理回路
１０・・第１処理回路
１２・・第２処理回路
１４・・ビデオケーブル挿抜検出器
１６・・シャッターボタン
１８・・フリップフロップ
２０・・ＣＣＤ駆動回路
２２・・Ｄ／Ａ変換器
２４・・ビットマップメモリ
２６・・液晶表示装置
２８・・モニタ表示装置
３０・・ビデオケーブル
８０・・第３処理回路
８２・・第４処理回路
Ｓ１ａ，  Ｓ１ｂ・・第１連動スイッチ
Ｓ２ａ，  Ｓ２ｂ・・第２連動スイッチ
Ｓ３・・・・第３スイッチ
Ｓ４・・・・第４スイッチ
【図１】
0003588409.tif 000002
【図２】
0003588409.tif 000003
【図３】
0003588409.tif 000004
【図４】
0003588409.tif 000005
【図５】
0003588409.tif 000006
【図６】
0003588409.tif 000007
【図７】
0003588409.tif 000008
【図８】
0003588409.tif 000009
【図９】
0003588409.tif 000010
【図１０】
0003588409.tif 000011